(57)【特許請求の範囲】
【請求項１】
速結端子及び当該速結端子に接続された電線の挿入状態を表示する接続表示機構を備えた回路遮断器の端子構造であって、
前記接続表示機構は、速結端子に並設されて電線挿入方向に前後動可能な摺動部材と、端子口近傍に配置されて前記摺動部材の基部が係合して摺動部材の移動により回動する表示部材と、前記摺動部材を端子口方向へ付勢する弾性部材とを有する一方、前記端子口に隣接する遮断器ケースの端子口形成面に前記表示部材を視認可能とする確認窓を備え、
前記摺動部材の先端には、速結端子に挿入した電線の先端が当接する当接片が設けられ、電線の当接により前記摺動部材が端子内部方向へ前進移動することを特徴とする回路遮断器の端子構造。
【請求項２】
表示部材は略円盤状に形成されると共に、遮断器ケースの前記表示部材収容部は表示部材の曲率に合致した円形を成し、表示部材の偏心部位に摺動部材が連結され、摺動部材の前後動により表示部材が回動動作する請求項１記載の回路遮断器の端子構造。
【請求項３】
遮断器ケース上面に操作レバーが配置され、一側面に複数の速結端子から成る負荷側端子が縦配置された回路遮断器にあっては、接続表示機構が個々の速結端子の上側に並設されると共に、表示部材は縦方向の軸を中心として回動する請求項１又は２記載の回路遮断器の端子構造。
【発明の詳細な説明】
【技術分野】
【０００１】
本発明は回路遮断器の端子構造に関し、特に速結端子で構成され、挿入した電線の接続状態を表示する接続表示機構を備えた回路遮断器の端子構造に関する。
【背景技術】
【０００２】
電線を挿入するだけで接続される速結端子を備えた回路遮断器の場合、端子口から挿入した電線が速結端子に良好に接続されたかどうか引っ張り操作だけでは確認し辛いため、接続表示機構を設けて電線の挿入量が十分であるかどうか作業者が容易に認識できるようにしている。この接続表示機構は、例えば特許文献１に示すよう構成され、下方に回動支点を備え、中間部に電線の先端が干渉する干渉部、上端に接続状態を表示する表示動作部を備えた回動表示部材を遮断器ケース内に配置し、速結端子に挿入された電線の挿入状態が遮断器ケース上方から視認できるよう構成されている。
【０００３】
一方で回路遮断器は分電盤内の限られたスペースに収納されるため小型化が進んでおり、例えば特許文献２に示すような構造の回路遮断器が提案されている。これは、操作レバー配置部を遮断器ケースの上面とした場合、電源側端子、負荷側端子の夫々複数の端子を縦に配置して遮断器ケースの幅を薄くしている。
【０００４】
【特許文献１】特開２００５−３５３３８０号公報
【特許文献２】特開２００２−２１６６１０号公報
【発明の開示】
【発明が解決しようとする課題】
【０００５】
しかし、特許文献２に示すように速結端子を縦配置した場合、上述するような接続表示機構は遮断器ケース内で上下に亘り配設される構造であるため、互いの接続表示機構が干渉してしまう。また、干渉を避けるために接続表示機構を左右に並設させると幅方向の薄型化ができない。
そこで、本発明はこのような問題点に鑑み、速結端子を縦配置した構造の回路遮断器であっても、遮断器ケースの薄型化を阻害する事無く、個々の速結端子に対して接続表示機構を備えることが可能な回路遮断器の端子構造を提供することを目的とする。
【課題を解決するための手段】
【０００６】
上記課題を解決する為に、請求項１の発明は、速結端子及び当該速結端子に接続された電線の挿入状態を表示する接続表示機構を備えた回路遮断器の端子構造であって、前記接続表示機構は、速結端子に並設されて電線挿入方向に前後動可能な摺動部材と、端子口近傍に配置されて前記摺動部材の基部が係合して摺動部材の移動により回動する表示部材と、前記摺動部材を端子口方向へ付勢する弾性部材とを有する一方、前記端子口に隣接する遮断器ケースの端子口形成面に前記表示部材を視認可能とする確認窓を備え、前記摺動部材の先端には、速結端子に挿入した電線の先端が当接する当接片が設けられ、電線の当接により前記摺動部材が端子内部方向へ前進移動することを特徴とする。
この構成により、速結端子に挿入した電線により、摺動部材は電線挿入方向へ移動して表示部材が回動する。その結果、この回動状態により電線挿入状態を確認窓を通して確認することができる。そして、接続表示機構は速結端子に並設する構成であるし、摺動部材は自身の長手方向に移動するだけなので移動空間も僅かなスペースで済み、複数の速結端子を縦に配置しても、個々の速結端子に組み付けた接続表示機構が互いに干渉するような事がない。また、遮断器ケース幅の薄型化を阻害するような事もない。
【０００７】
請求項２の発明は、請求項１に記載の発明において、表示部材は略円盤状に形成されると共に、遮断器ケースの前記表示部材収容部は表示部材の曲率に合致した円形を成し、表示部材の偏心部位に摺動部材が連結され、摺動部材の前後動により表示部材が回動動作することを特徴とする。
この構成により、回動軸を設けることなく表示部材を回動させることが可能であり、接続表示機構の構造を簡素化できるし、組み付けも容易となる。
【０００８】
請求項３の発明は、請求項１又は２に記載の発明において、遮断器ケース上面に操作レバーが配置され、一側面に複数の速結端子から成る負荷側端子が縦配置された回路遮断器にあっては、接続表示機構が個々の速結端子の上側に並設されると共に、表示部材は縦方向の軸を中心として回動することを特徴とする。
この構成により、端子口の上側に確認窓が設けられるので、電線を接続した際に接続状態の確認がし易い。また、表示部材は略水平面内で回動するので、接続表示機構の上下方向の設置スペースが僅かで済み、速結端子を縦に隣接させて配列するに際して接続表示機構が障害となることがない。
【発明の効果】
【０００９】
本発明によれば、速結端子に挿入した電線により、摺動部材は電線挿入方向へ移動して表示部材が回動するので、電線挿入状態を確認窓を通して確認することができる。そして、接続表示機構は速結端子に並設する構成であるし、摺動部材は自身の長手方向に移動するだけなので移動空間も僅かなスペースで済み、複数の速結端子を縦に配置しても、個々の速結端子に組み付けた接続表示機構が互いに干渉するような事がない。また、遮断器ケース幅の薄型化を阻害するような事もない。
【発明を実施するための最良の形態】
【００１０】
以下、本発明を具体化した実施の形態を、図面に基づいて詳細に説明する。図１〜図３は本発明の一例を示し、図１は回路遮断器の断面説明図、図２はその外観図、図３は側面図である。各図において、１は回路遮断器の遮断機構が組み込まれている遮断器ケース、２は遮断器ケース背面に設けた電源側端子、３は遮断器ケース前面に設けた負荷側端子、４は遮断器ケース上面に設けた遮断器出力をオン／オフ操作する操作ハンドル、５は絶縁抵抗測定等で使用する検査孔、６は負荷側端子３に挿入された電線の挿入状態を確認するための確認窓、７は挿入された電線の挿入状態を確認窓６内で表示するための接続表示機構、１０は負荷側端子３に接続した電線である。尚、遮断器ケース１内には、過電発生時に遮断動作する過電流遮断機構（図示せず）が組み込まれている。
【００１１】
この回路遮断器は、単相３線式電路に対応するよう形成され、電源側端子２、負荷側端子３の双方とも縦に配置された３端子で構成されている。負荷側端子３を設けた前面は上方に向けて傾斜形成し、個々の端子を視認し易いよう構成されている。
そして図１に示すように、電源側端子２は銅バー（図示せず）を挟持して連結するプラグイン式端子で形成され、負荷側端子３は電線１０を挿入するだけで連結する速結端子１１で形成されている。また、負荷側端子３は円形の端子口３ａを有し、この端子口３ａの奥部に速結端子１１を配置している。
【００１２】
また、電源側端子２は上部が中性端子、下部の２端子が電圧端子として配置され、負荷側端子３は中央を中性端子、上下の端子を電圧端子として配置されている。この配置により、負荷側端子３の中央の端子と、上側の端子或いは下側端子の一方に電線１０を接続することで１００Ｖ電圧の出力を得ることができ、上下両端の端子に電線１０を接続することで２００Ｖ電圧の出力を得ることができるようになっている。
【００１３】
図４は図１のＡ部拡大図、図５はＢ−Ｂ線断面図であり、この図に示すように、夫々の速結端子１１は上側に接続表示機構７が隣接して配置されている。速結端子１１は、挿入された電線１０と電気的な接続を図ると共に、挿入された電線に係止して抜け止め作用を奏する係止金具１２と、図示しない開閉接点に接続される端子金具１３を有している。
そして、接続表示機構７は、電線１０の先端が当接する当接片１６ａを有し、電線挿入方向に摺動可能に配置された摺動部材１６と、摺動部材１６に係合して確認窓６に一部が露出する表示部材１７と、電線１０の押圧で移動した摺動部材１６を復帰動作させる弾性部材であるコイルバネ１８とで構成されている。
【００１４】
この接続表示機構の夫々の部材は、図６の分解斜視図に示すような形状となっている。摺動部材１６は、速結端子１１に沿って配置される棒体１６ｂを有し、当接片１６ａはその先端に配置されて全体は略Ｌ字状に形成されている。棒体１６ｂの基部には表示部材１７に連結するための突起１６ｃが設けられ、側部にはコイルバネ１８を配置するための切り欠きが設けられている。この切り欠きの表示部材１７連結側にコイルバネ１８を支持する支持突起１６ｄが設けられている。
【００１５】
一方、表示部材１７は円盤の一部を切り欠いた形状を成して、偏心部位に摺動部材１６の突起１６ｃを挿入するための透孔１７ａが設けられ、摺動部材１６の直線移動により表示部材１７が回動するよう構成されている。そして、曲面で形成された側面１７ｂが確認窓６から露出する表示面となっている。
【００１６】
このように形成された接続表示機構７は、図５に示すように遮断器ケース１に収容され、遮断器ケース１から突起した支持片２０と摺動部材１６との間にコイルバネ１８が配置される。こうして、摺動部材１６は常時端子口３ａ方向に付勢された状態となり、摺動部材１６の前方となる遮断器ケース１内部方向には摺動部材１６が移動可能な空間が形成される。また、表示部材１７は、同一曲率で略円形に形成された収容部２１に収容され、摺動部材１６の直線移動を良好に回動動作に変換でき、縦方向の軸を中心に略水平面内で回転するよう構成されている。
【００１７】
そして、図４に示すように、挿入された電線１０が速結端子１１の奥部まで達したら摺動部材１６の当接片１６ａに当接し、更に挿入することで摺動部材１６はコイルバネ１８の付勢力に抗して電線１０の挿入量に応じて移動する。この移動量に応じて表示部材１７は回動する。このとき、表示部材１７の側面１７ｂの一部を加色すれば、色の変化で電線挿入状態を確認窓６を介して視認し易くなり、作業者は挿入量を容易に把握する事ができる。
【００１８】
このように、速結端子に挿入した電線により、摺動部材は電線挿入方向へ移動して表示部材が回動する。その結果、この回動状態により電線挿入状態を確認窓を通して確認することができる。そして、接続表示機構は速結端子に並設する構成であるし、摺動部材は自身の長手方向に移動するだけなので移動空間も僅かなスペースで済み、複数の速結端子を縦に配置しても、個々の速結端子に組み付けた接続表示機構が互いに干渉するような事がない。また、遮断器ケース幅の薄型化を阻害するような事もない。
また、表示部材は円盤状に形成され、遮断器ケースの表示部材収容部は表示部材の曲率に合致した円形を成し、摺動部材は表示部材の偏心部位に連結されるので、回動軸を設けることなく表示部材を回動させることが可能であり、接続表示機構の構造を簡素化できるし、組み付けも容易となる。
更に、端子口の上側に確認窓が設けられるので、電線を接続した際に接続状態の確認がし易い。また、表示部材は略水平面内で回動するので、接続表示機構の上下方向の設置スペースが僅かで済み、速結端子を縦に隣接させて配列するに際して接続表示機構が障害となることがない。
【００１９】
尚、上記実施形態は、速結端子１１から成る負荷側端子３の個々の端子を縦に配置した構成を示しているが、本発明の端子構造は従来の一対の端子を横配置した構成であっても容易に適用でき、省スペースで接続表示機構を設けることができる。
また、表示部材は回動軸を持たず回動可能に構成しているが、回動軸を設けて遮断器ケースに軸支しても勿論よく、良好な回動動作を得ることができる。
【図面の簡単な説明】
【００２０】
【図１】本発明の実施形態の一例を示し、回路遮断器の端子構造を示す断面説明図である。
【図２】図１の回路遮断器の斜視図である。
【図３】図１の回路遮断器の側面図である。
【図４】Ａ部拡大図である。
【図５】Ｂ−Ｂ線断面図である。
【図６】接続表示機構の分解斜視図である。
【符号の説明】
【００２１】
１・・遮断器ケース、２・・電源側端子、３・・負荷側端子、３ａ・・端子口、４・・操作レバー、６・・確認窓、７・・接続表示機構、１０・・電線、１１・・速結端子、１６・・摺動部材、１７・・表示部材。
【図１】
0004813956.tif 000002
【図２】
0004813956.tif 000003
【図３】
0004813956.tif 000004
【図４】
0004813956.tif 000005
【図５】
0004813956.tif 000006
【図６】
0004813956.tif 000007